(57)【要約】【課題】ベッドの側方への寝具のずれを防止できると共に、ベッドの長手方向（足元方向又は枕元方向）への寝具のずれも防止でき、且つ、大人や健常者の快眠の妨げにもならず、また、利便性の高い付加価値を備えることもできるベッドガードを提供する。【解決手段】ベッドの角部分に取り付けられるベッドガードであって、ベッドフレームとマットレスとの間に挟み込まれる係止手段と、ベッドの側方端部において寝具のずれを防止する側方抑え手段と、ベッドの長手方向端部において寝具のずれを防止する長手方向抑え手段とからなり、該側方抑え手段の下端部と該長手方向抑え手段の下端部との間に該係止手段を架設してなるようにした。【選択図】  図５
2004208900.tif 000002
【特許請求の範囲】
【請求項１】
ベッドの角部分に取り付けられるベッドガードであって、ベッドフレームとマットレスとの間に挟み込まれる係止手段と、ベッドの側方端部において寝具のずれを防止する側方抑え手段と、ベッドの長手方向端部において寝具のずれを防止する長手方向抑え手段とからなり、該側方抑え手段の下端部と該長手方向抑え手段の下端部との間に該係止手段を架設してなることを特徴とするベッドガード。
【請求項２】
前記係止手段、側方抑え手段及び長手方向抑え手段が、夫々、合成樹脂材料又は木質材料からなる板状部材であることを特徴とする請求項１記載のベッドガード。
【請求項３】
前記側方抑え手段の上端部と前記長手方向抑え手段の上端部との間に架設されたテーブル状部材を更に備えることを特徴とする請求項１又は２記載のベッドガード。
【請求項４】
前記側方抑え手段の上端部から外方に突出するテーブル状部材を更に備えることを特徴とする請求項１〜３のいずれか１項記載のベッドガード。
【発明の詳細な説明】
【０００１】
【発明の属する技術分野】
本発明は、ベッドに取り付けて、就寝中に寝具がずれたりするのを防止するベッドガードに関する。
【０００２】
【関連技術】
【０００３】
現在、一般に市販されているベッドガードは、就寝中に掛け布団や毛布等の寝具がずれるのを防止したり、子供や病人が転落するのを防止したりする目的で、ベッドの側方から寝具を抑えるというものである。
【０００４】
図７は、従来のベッドガードの使用態様を示す概念説明図であり、（ａ）は取り付け前の様子を示し、（ｂ）取り付け後の様子を示している。図中、符号Ｂはベッドであり、符号５０は、従来のベッドガードである。
【０００５】
ベッドＢは、ベッドフレーム２と、その上に載置されたマットレス４と、ベッドフレーム２の上端部（頭部側）に立設されたヘッドボード６とからなり、必要に応じて図示しない掛け布団等の寝具をマットレス４の上に布設するようになっている。なお、ヘッドボード６の無いタイプのベッドＢもある。
【０００６】
従来のベッドガード５０は、例えば、棒状部材を成形して構成されており、図示例では、２本の棒状部材により所定長さの側方抑え手段５４が形成され、側方抑え手段５４の長手方向の両端の下端部に前方（ベッドがある側）に突出する係止手段５２が形成されている。
【０００７】
そして、このベッドガード５０をベッドＢの側部Ｓに取り付ける。即ち、ベッドガード５０の係止手段５２をベッドＢの側部Ｓにおけるベッドフレーム２とマットレス４との間に挟み込むように取り付けることにより、ベッドガード５０がベッドＢに係止され、これにより、ベッドガード５０がベッドＢの側方から寝具を抑えることができるため、就寝中に寝具がずれるのを防止するものである。
【０００８】
このようなベッドガードは種々のものが提案されており、例えば、パイプ状又は扁平になったプラスチック材を使用したもの（特許文献１参照）、波状形の滑り止めを形成したもの（特許文献２参照）、折り畳み自在としたもの（特許文献３参照）、サイド立上り部を内側に湾曲したもの（特許文献４参照）、ベッドガード本体の上方部を下方に移動自在としたもの（特許文献５参照）等がある。
【０００９】
【特許文献１】
特開昭４９−９６８５８号公報
【特許文献２】
実公昭４２−２１３５号公報
【特許文献３】
特公昭６０−１５４８０号公報
【特許文献４】
実用新案登録第３０３４４２２号公報
【特許文献５】
特開２００２−４５２６８号公報
【００１０】
しかし、これら従来のベッドガードでは、いずれもベッドの側方のみから寝具を抑えるものであるため、側方への寝具のずれは防止できるものの、ベッドの長手方向（足元方向又は枕元方向）への寝具のずれは防止できない。また、ベッドの側方にベッドガードがあると、子供や病人の転落防止の役目を果たすものの、大人や健常者の場合は単に邪魔であり快眠の妨げとなることが多い。例えば、大人や健常者の場合は、ベッドに出入りする時に邪魔であったり、睡眠中にふいに触れたりした時に冷たく快眠の妨げとなることがある。
【００１１】
【発明が解決しようとする課題】
本発明は、上記した従来のベッドガードの問題点に鑑みてなされたものであり、ベッドの側方への寝具のずれを防止できると共に、ベッドの長手方向（足元方向又は枕元方向）への寝具のずれも防止でき、且つ、大人や健常者の快眠の妨げにもならず、また、利便性の高い付加価値を備えることもできるベッドガードを提供することを目的とする。
【００１２】
【課題を解決するための手段】
上記課題を解決するために、本発明のベッドガードは、ベッドの角部分に取り付けられるベッドガードであって、ベッドフレームとマットレスとの間に挟み込まれる係止手段と、ベッドの側方端部において寝具のずれを防止する側方抑え手段と、ベッドの長手方向端部において寝具のずれを防止する長手方向抑え手段とからなり、該側方抑え手段の下端部と該長手方向抑え手段の下端部との間に該係止手段を架設してなることを特徴とする。
【００１３】
前記係止手段、側方抑え手段及び長手方向抑え手段が、夫々、合成樹脂材料又は木質材料からなる板状部材であることが好ましい。合成樹脂材料であれば、比較的安価であるため、製造コストを低く抑えることができる。木質材料であれば、意匠性が高くなり、高級感を醸し出すことができる。また、従来のベッドガードと同様に棒状部材で構成することもできるが、板状部材である方が意匠性が高い。
【００１４】
前記側方抑え手段の上端部と前記長手方向抑え手段の上端部との間に架設されたテーブル状部材を更に備えることもできるし、前記側方抑え手段の上端部から外方に突出するテーブル状部材を更に備えるもできる。このようなテーブル状部材を備えることとすれば、簡易テーブルとして利用でき便利である。
【００１５】
ポケット手段を更に備えることも好ましい。例えば、ポケット手段を備える本発明のベッドガードをベッドの頭部側の角部分に取り付けておけば、携帯電話等を枕元に置いておくのにも便利である。
【００１６】
【発明の実施の形態】
以下に本発明の実施の形態をあげるが、以下の説明は、例示的に示されるもので限定的に解釈すべきものでないことはいうまでもない。
【００１７】
図１は、本発明のベッドガードの一例を示す斜視説明図である。図１において、符号１０はベッドガードであり、ベッドガード１０は、係止手段１２、側方抑え手段１４、長手方向抑え手段１６からなっている。
【００１８】
係止手段１２、側方抑え手段１４、長手方向抑え手段１６は、夫々、合成樹脂材料又は木質材料からなる板状部材で構成されており、ベッドの角部分の形状に合うように側方抑え手段１４の側端部と長手方向抑え手段１６の側端部とを直角又は略直角に接合し、側方抑え手段１４の下端部と長手方向抑え手段１６の下端部との間に係止手段１２を架設したものである。
【００１９】
図示例では、係止手段１２、側方抑え手段１４、長手方向抑え手段１６を夫々略四角形状の板状部材で構成した例を示しているが、板状部材の形状は特に限定されるものではなく、例えば、外方に突出している側の角部を安全性の観点から曲線に加工してもよいし、その他、意匠性を加味した形状とすることもできる。
【００２０】
また、図１におけるベッドガード１０は、ベッドの長手方向の足元側の角部分に取り付けられる場合（図６参照）の例であるため、側方抑え手段１４の左側端部に長手方向抑え手段１６の右側端部が接合するように構成されているが、ベッドガード１０をベッドの長手方向の枕元側の角部分に取り付ける場合（図５参照）は、これとは逆に、側方抑え手段１４の右側端部に長手方向抑え手段１６の右側端部が接合するように構成される。また、側方抑え手段１４及び長手方向抑え手段１６は収納に便利な様に、ビス等による組立式、もしくは、蝶番による折り畳み自在としてもよい。
【００２１】
図２は、本発明のベッドガードにテーブル状部材を備える場合の一例を示す斜視説明図であり、また、図３は、本発明のベッドガードにテーブル状部材を備える場合の他の例を示す斜視説明図である。
【００２２】
図２において、符号１０ａは、本発明のベッドガードの他の例を示すものであり、ベッドガード１０ａは、係止手段１２、側方抑え手段１４、長手方向抑え手段１６を備え、これに加えて、テーブル部材Ｔ１を備えるものである。
【００２３】
ベッドガード１０ａにおける係止手段１２、側方抑え手段１４、長手方向抑え手段１６については、前記図１で説明したベッドガード１０の場合と同様であるので再度の説明は省略するが、ベッドガード１０ａの場合、テーブル部材Ｔ１を備えることから、ベッドの長手方向の枕元側の角部分に取り付ける方が利便性の点で有利である（図６参照）。そのため、図１のベッドガード１０の場合とは逆に、側方抑え手段１４の右側端部に長手方向抑え手段１６の右側端部が接合するように構成されているものである。
【００２４】
ベッドガード１０ａにおけるテーブル部材Ｔ１は、側方抑え手段１４の上端部と長手方向抑え手段１６の上端部の間に架設されているものである。テーブル部材Ｔ１の形状は特に限定されないが、例えば、図示例のように、略四角形状の板状部材の外方に突出する側の角部を曲線に加工したもの等が用いられる。また、テーブル部材Ｔ１は取り外し自在としても良いし、蝶番等で折り畳み自在としてもよい。
【００２５】
図３において、符号１０ｂは、本発明のベッドガードの別の例を示すものであり、ベッドガード１０ｂは、係止手段１２、側方抑え手段１４、長手方向抑え手段１６を備え、これに加えて、テーブル部材Ｔ２を備えるものである。
【００２６】
ベッドガード１０ｂにおける係止手段１２、側方抑え手段１４、長手方向抑え手段１６については、前記図１で説明したベッドガード１０の場合と同様であるので再度の説明は省略するが、ベッドガード１０ｂの場合、テーブル部材Ｔ２を備えることから、ベッドの長手方向の枕元側の角部分に取り付ける方が利便性の点で有利である（図６参照）。そのため、図１のベッドガード１０の場合とは逆に、側方抑え手段１４の右側端部に長手方向抑え手段１６の右側端部が接合するように構成されているものである。
【００２７】
ベッドガード１０ｂにおけるテーブル部材Ｔ２は、側方抑え手段１４の上端部から外方（ベッドがある方向と逆方向）に突出するように設置されているものである。テーブル部材Ｔ２の形状は特に限定されないが、例えば、図示例のように、略四角形状でもよいし、その他の形状、例えば半円形等であってもよい。また、テーブル部材Ｔ２は取り外し自在としても良いし、蝶番等で折り畳み自在としてもよい。
【００２８】
図４は、本発明のベッドガードにポケット手段を備える場合の一例を示す斜視説明図である。図４において、符号１０ｃは、本発明のベッドガードのさらに他の例を示すものであり、ベッドガード１０ｃは、係止手段１２、側方抑え手段１４、長手方向抑え手段１６を備え、これに加えて、ポケット手段Ｐを備えるものである。
【００２９】
ベッドガード１０ｃにおける係止手段１２、側方抑え手段１４、長手方向抑え手段１６については、前記図１で説明したベッドガード１０の場合と同様であるので再度の説明は省略するが、ベッドガード１０ｃの場合、ポケット手段Ｐを備えることから、ベッドの長手方向の枕元側の角部分に取り付ける方が利便性の点で有利である（図６参照）。そのため、図１のベッドガード１０の場合とは逆に、側方抑え手段１４の右側端部に長手方向抑え手段１６の右側端部が接合するように構成されているものである。
【００３０】
ベッドガード１０ｃにおけるポケット手段Ｐは、小物を収納する機能を有するものであれば、特に限定されない。例えば、図示例のように、側方抑え手段１４の右側端部と長手方向抑え手段１６の右側端部が接合する部分の入隅側の上部に、矩形の側部板２４、後部板２６、下部板２２を組み合わせて、上方に開口する収納空間２８を形成するようにすればよい。その他、布材料やプラスチック材料により袋状のポケット手段を側方抑え手段１４の外方側面側に形成するようにしてもよい。
【００３１】
図５は、本発明のベッドガードのさらに別の例を示す斜視説明図である。図５において、符号１０ｄは、ベッドガードであり、側方抑え手段１４及び長手方向抑え手段１６がそれぞれ棒状部材で構成され意匠性を高めた点に特徴がある。
【００３２】
図６は、本発明のベッドガードの使用態様を示す概念説明図であり、（ａ）は取り付け前の様子を示し、（ｂ）取り付け後の様子を示している。
【００３３】
ベッドガード１０は、前記図１の説明で述べたように、ベッドＢの長手方向の足元側の角部分Ｃ１に取り付けられるものである。即ち、ベッドガード１０の係止手段１２をベッドＢの長手方向の足元側の角部分Ｃ１におけるベッドフレーム２とマットレス４との間に挟み込むように取り付けることにより、ベッドガード１０がベッドＢに係止され、これにより、ベッドガード１０がベッドＢの側方及び長手方向（足元方向）から寝具を抑えることができ、就寝中に寝具がずれるのを防止できる。たとえずれたとしても長手方向足元側にはずれることがなくベッドＢの側部Ｓ付近であれば、大人や健常者ならば容易に直すことが出来る。しかも、従来のベッドガードと異なりベッドＢの側部Ｓ（図６参照）に取り付けるものでないため、大人や健常者が利用する場合でも邪魔にならず、快眠を妨げることはない。
【００３４】
ベッドガード１０ｂは、前記図３の説明で述べたように、ベッドＢの長手方向の枕元側の角部分Ｃ２に取り付けられるものである。即ち、ベッドガード１０ｂの係止手段１２をベッドＢの長手方向の枕元側の角部分Ｃ２におけるベッドフレーム２とマットレス４との間に挟み込むように取り付けることにより、ベッドガード１０ｂがベッドＢに係止され、これにより、ベッドガード１０ｂがベッドＢの側方及び長手方向（枕元方向）から寝具を抑えることができ、就寝中に寝具がずれるのを防止できる。しかも、従来のベッドガードと異なりベッドＢの側部Ｓ（図７参照）に取り付けるものでないため、大人や健常者が利用する場合でも邪魔にならず、快眠を妨げることはなく、且つ、テーブル部材Ｔ２が備えられているため、目覚まし時計やめがね等の小物を枕元近くに置いておくことができ、利便性が高い。さらに、テーブル部材Ｔ２のヘリにゴムなどでクッション等を設けてけが防止を図ることもできる。
【００３５】
【発明の効果】
以上述べたように、本発明のベッドガードによれば、ベッドの側方への寝具のずれを防止できると共に、ベッドの長手方向（足元方向又は枕元方向）への寝具のずれも防止でき、且つ、大人や健常者の快眠の妨げにもならず、また、利便性の高い付加価値を備えることもできるベッドガードを提供することができるという大きな効果を奏する。
【図面の簡単な説明】
【図１】本発明のベッドガードの一例を示す斜視説明図である。
【図２】本発明のベッドガードの他の例にテーブル状部材を備える場合の一例を示す斜視説明図である。
【図３】本発明のベッドガードの別の例にテーブル状部材を備える場合の例を示す斜視説明図である。
【図４】本発明のベッドガードのさらに他の例にポケット手段を備える場合の一例を示す斜視説明図である。
【図５】本発明のベッドガードのさらに別の例を示す斜視説明図である。
【図６】本発明のベッドガードの使用態様を示す概念説明図であり、（ａ）は取り付け前の様子を示し、（ｂ）取り付け後の様子を示している。
【図７】従来のベッドガードの使用態様を示す概念説明図であり、（ａ）は取り付け前の様子を示し、（ｂ）取り付け後の様子を示している。
【符号の説明】
２：ベッドフレーム、４：マットレス、６：ヘッドボード、１０，１０ａ，１０ｂ，１０ｃ，１０ｄ：ベッドガード、１２：係止手段、１４：側方抑え手段、１６：長手方向抑え手段、２２：下部板、２４：側部板、２６：後部板、２８：収納空間、５０：従来のベッドガード、５２：従来のベッドガードにおける係止手段、５４：従来のベッドガードにおける側方抑え手段、Ｂ：ベッド、Ｃ１：ベッドの足元側の角部分、Ｃ２：ベッドの枕元側の角部分、Ｐ：ポケット手段、Ｓ：ベッドの側部、Ｔ１，Ｔ２：テーブル部材。
【図１】
2004208900.tif 000003
【図２】
2004208900.tif 000004
【図３】
2004208900.tif 000005
【図４】
2004208900.tif 000006
【図５】
2004208900.tif 000007
【図６】
2004208900.tif 000008
【図７】
2004208900.tif 000009